【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
通信ネットワークへアクセスするためにＵＥ（ユーザ装置）によって実行される方法であって、前記ＵＥは、ネットワークアクセスを実行するためのランダムアクセスプリアンブルシーケンスの異なる繰り返し回数の送信に各々関連付けられている二つ以上のカバレッジクラスのセットのうちのあるカバレッジクラスに関連付けられており、前記二つ以上のカバレッジクラスのセットは周波数バンドを共有し、前記方法は、
二つ以上の連続したプリアンブルシンボルグループを有する、ＳＣ−ＦＤＭＡ（シングルキャリア周波数分割多元接続）のランダムアクセスプリアンブル信号を生成することであって、各プリアンブルシンボルグループは、サイクリックプレフィックス部と、ＳＣ−ＦＤＭＡの前記ランダムアクセスプリアンブル信号の単一のサブキャリアを占有する複数のシンボルとを有し、前記プリアンブルシンボルグループの少なくとも一つのための前記単一のサブキャリアは第一のサブキャリア周波数に対応し、前記プリアンブルシンボルグループの直後の一つのための前記単一のサブキャリアは第二のサブキャリア周波数に対応する、ことと、
前記二つ以上のカバレッジクラスのセットの各カバレッジクラスが異なる開始機会を有するように、かつ、前記二つ以上のカバレッジクラスのセットにおける一つのカバレッジクラスと異なるカバレッジクラスとの間で前記共有される周波数バンドでの衝突が回避されるように、前記ＵＥの前記カバレッジクラスに関連した開始機会において前記ランダムアクセスプリアンブル信号を送信することによってネットワークアクセスを開始することと、を有する、方法。
【請求項２】
請求項１に記載の方法であって、前記ランダムアクセスプリアンブル信号を送信するための前記開始機会は、少なくとも、送信側の前記ＵＥの前記カバレッジクラスより高いカバレッジクラスに関連したＰＲＡＣＨリソースによって占有されるサブフレームによって与えられる制限に基づいており、前記より高いカバレッジクラスはランダムアクセスプリアンブルシーケンスのより多い繰り返し回数に対応する、方法。
【請求項３】
請求項１または２に記載された方法であって、さらに、
周期性と、
開始機会を含むサブフレームと、
プリアンブル送信試行ごとの繰り返し回数と、
のうちの少なくとも一つを示す一つ以上のパラメータを受信すること、を有し、
前記方法は、さらに、前記受信された一つ以上のパラメータに少なくとも部分的に基づいて、一つ以上の開始機会を決定すること、を有する、方法。
【請求項４】
請求項１ないし３のいずれか一項に記載の方法であって、
周期性と、
開始機会を含むサブフレームと、
プリアンブル送信試行ごとの繰り返し回数と、
を示すパラメータを受信すること、を有し、
前記方法は、さらに、前記受信されたパラメータに少なくとも部分的に基づいて、一つ以上の開始機会を決定すること、を有する、方法。
【請求項５】
請求項３に記載の方法であって、さらに、パラメータを受信すること、を有し、当該パラメータは、前記ＵＥに関連付けられている前記カバレッジクラスより高い少なくとも一つのカバレッジクラスについての、
周期性と、
開始機会を含むサブフレームと、
プリアンブル送信試行ごとの繰り返し回数と、
のうちの一つを示し、前記より高いカバレッジクラスはランダムアクセスプリアンブルシーケンスのより大きな繰り返し回数に対応する、方法。
【請求項６】
請求項５に記載の方法であって、前記ＵＥに関連付けられている前記カバレッジクラスに関連した、可能性のある開始機会を識別することと、前記少なくとも一つのより高いカバレッジクラスのＵＥによって使用されうるこれらの可能性のある開始機会を避けることと、によって一つ以上の開始機会が決定される、方法。
【請求項７】
請求項６に記載の方法であって、さらに、前記少なくとも一つのより高いカバレッジクラスのＵＥによって使用されうる識別された、可能性のある開始機会からバックオフすることによって、一つ以上の開始機会が決定される、方法。
【請求項８】
請求項３に記載の方法であって、前記受信された一つ以上のパラメータは、開始機会を含むサブフレームを、前記カバレッジクラスのセット内のすべてのカバレッジクラスにとって共通の開始サブフレームであって、前記開始機会を含む前記サブフレームを決定し得る起点である当該開始サブフレームを示すことによって示す、方法。
【請求項９】
請求項８に記載の方法であって、前記カバレッジクラスのセット内の各カバレッジクラスは、前記共通の開始サブフレームに関連した、前記ネットワークアクセスを開始するための異なるオフセットを有し、前記ネットワークアクセスは前記オフセットにしたがって開始される、方法。
【請求項１０】
請求項３に記載の方法であって、前記受信された一つ以上のパラメータは、プリアンプル送信試行ごとの繰り返し回数を示し、前記受信された一つ以上のパラメータは、前記カバレッジクラスのセット内の各カバレッジクラスについて固有の値を有する、方法。
【請求項１１】
請求項１ないし１０のいずれか一項に記載の方法であって、前記カバレッジクラスのセット内の各カバレッジクラスは、それぞれの受信電力レベルを有するＵＥに関連付けられている、方法。
【請求項１２】
請求項１ないし１１のいずれか一項に記載の方法であって、前記カバレッジクラスのセット内の前記二つ以上のカバレッジクラスはランク付けされており、前記ＵＥは、より高いカバレッジクラスに関連付けられているＵＥによって使用される可能性のある開始機会におけるネットワークアクセスの開始から、バックオフする、方法。
【請求項１３】
ＵＥ（ユーザ装置）が通信ネットワークへアクセスすることを可能にするための基地局であって、前記ＵＥは、ネットワークアクセスを実行するためのランダムアクセスプリアンブルシーケンスの異なる繰り返し回数の送信に各々関連付けられている二つ以上のカバレッジクラスのセットのうちのあるカバレッジクラスに関連付けられており、前記二つ以上のカバレッジクラスのセットは周波数バンドを共有し、前記基地局は、処理回路と、一つ以上の送信機および一つ以上の受信機を有する通信インターフェースとを有し、前記処理回路は、前記基地局に、
前記ＵＥへネットワークアクセス情報を送信することと、
前記ＵＥに関連付けられた前記カバレッジクラスに関連した開始機会において、ＳＣ−ＦＤＭＡ（シングルキャリア周波数分割多元接続）の、二つ以上の連続したプリアンブルシンボルグループを有するランダムアクセスプリアンブル信号を受信することと、
を行わせるように構成され、
前記ネットワークアクセス情報は、前記二つ以上のカバレッジクラスのセットの各カバレッジクラスが異なる開始機会を有するように、かつ、前記二つ以上のカバレッジクラスのセット内における一つのカバレッジクラスと異なるカバレッジクラスとの間で前記共有される周波数バンドでの衝突が回避されるようにランダムアクセスプリアンブルを送信することによって前記ＵＥがネットワークアクセスを開始しうる開始機会、を指定するものであり、
各プリアンブルシンボルグループは、サイクリックプレフィックス部と、ＳＣ−ＦＤＭＡの前記ランダムアクセスプリアンブル信号の単一のサブキャリアを占有する複数のシンボルとを有し、前記プリアンブルシンボルグループの少なくとも一つについての前記単一のサブキャリアは、第一のサブキャリア周波数に対応し、前記プリアンブルシンボルグループの直後の一つについての前記単一のサブキャリアは第二のサブキャリア周波数に対応する、基地局。
【請求項１４】
通信ネットワークへアクセスするように構成されたＵＥ（ユーザ装置）であって、前記ＵＥは、ネットワークアクセスを実行するためのランダムアクセスプリアンブルシーケンスの異なる繰り返し回数の送信に各々関連付けられている二つ以上のカバレッジクラスのセットのうちのあるカバレッジクラスに関連付けられるようにさらに構成され、前記二つ以上のカバレッジクラスのセットは周波数バンドを共有し、前記ＵＥは、処理回路と、一つ以上の送信機を有する通信インターフェースとを有し、前記処理回路は、前記ＵＥに、
二つ以上の連続したプリアンブルシンボルグループを有する、ＳＣ−ＦＤＭＡ（シングルキャリア周波数分割多元接続）のランダムアクセスプリアンブル信号を生成することであって、各プリアンブルシンボルグループは、サイクリックプレフィックス部と、ＳＣ−ＦＤＭＡの前記ランダムアクセスプリアンブル信号の単一のサブキャリアを占有する複数のシンボルとを有し、前記プリアンブルシンボルグループの少なくとも一つのための前記単一のサブキャリアは第一のサブキャリア周波数に対応し、前記プリアンブルシンボルグループの直後の一つのための前記単一のサブキャリアは第二のサブキャリア周波数に対応する、ことと、
前記二つ以上のカバレッジクラスのセットの各カバレッジクラスが異なる開始機会を有するように、かつ、前記二つ以上のカバレッジクラスのセットにおける一つのカバレッジクラスと異なるカバレッジクラスとの間で前記共有される周波数バンドでの衝突が回避されるように、前記ＵＥの前記カバレッジクラスに関連した開始機会において前記ランダムアクセスプリアンブル信号を送信することによってネットワークアクセスを開始することと、
を行わせるように構成される、ＵＥ。
【請求項１５】
通信ネットワークへのワイヤレスデバイスのネットワークアクセスのためのコンピュータプログラムであって、前記ワイヤレスデバイスは、ネットワークアクセスを実行するためのランダムアクセスプリアンブルシーケンスの異なる繰り返し回数の送信に各々関連付けられている二つ以上のカバレッジクラスのセットのうちのあるカバレッジクラスに関連付けられており、前記二つ以上のカバレッジクラスのセットは周波数バンドを共有し、前記コンピュータプログラムは、ワイヤレスデバイスの処理回路で実行された場合に、前記ワイヤレスデバイスに、
二つ以上の連続したプリアンブルシンボルグループを有する、ＳＣ−ＦＤＭＡ（シングルキャリア周波数分割多元接続）のランダムアクセスプリアンブル信号を生成することであって、各プリアンブルシンボルグループは、サイクリックプレフィックス部と、ＳＣ−ＦＤＭＡの前記ランダムアクセスプリアンブル信号の単一のサブキャリアを占有する複数のシンボルとを有し、前記プリアンブルシンボルグループの少なくとも一つのための前記単一のサブキャリアは第一のサブキャリア周波数に対応し、前記プリアンブルシンボルグループの直後の一つのための前記単一のサブキャリアは第二のサブキャリア周波数に対応する、ことと、
前記二つ以上のカバレッジクラスのセットの各カバレッジクラスが異なる開始機会を有するように、かつ、前記二つ以上のカバレッジクラスのセットにおける一つのカバレッジクラスと異なるカバレッジクラスとの間で前記共有される周波数バンドでの衝突が回避されるように、前記ワイヤレスデバイスの前記カバレッジクラスに関連した開始機会において前記ランダムアクセスプリアンブル信号を送信することによってネットワークアクセスを開始することと、
を行わせるコンピュータコード、を含む、コンピュータプログラム。